(57)【要約】【課題】ケーブルの差し替えなしに映像信号の有線出力と無線出力とを切り替えることが可能な映像送信装置を提供すること。【解決手段】映像信号が入力される入力端子と、映像機器に有線接続される出力端子と、映像信号を所定の無線変調方式で変調して無線送信する無線送信部と、入力端子、出力端子、及び無線送信部に接続され、入力端子から入力された映像信号の出力先を出力端子又は無線送信部に切り替える出力切替部と、無線通信部により出力先の切り替え要求が受信された場合に、当該切り替え要求に応じて出力切替部に映像信号の出力先を切り替えさせる切替制御部と、を有する、映像送信装置が提供される。【選択図】図３
2010041613.tif 000002
【特許請求の範囲】
【請求項１】
映像信号が入力される入力端子と、
映像機器に有線接続される出力端子と、
前記映像信号を所定の無線変調方式で変調して無線送信する無線通信部と、
前記入力端子、前記出力端子、及び前記無線送信部に接続され、前記入力端子から入力された映像信号の出力先を前記出力端子、又は前記無線送信部に切り替える出力切替部と、
前記無線通信部により前記出力先の切り替え要求が受信された場合に、当該切り替え要求に応じて前記出力切替部に前記映像信号の出力先を切り替えさせる切替制御部と、
を有する、映像送信装置。
【請求項２】
前記映像信号は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）信号であり、
前記切り替え要求は、ＣＥＣ（Ｃｏｎｓｕｍｅｒ  Ｅｌｅｃｔｒｏｎｉｃｓ  Ｃｏｎｔｒｏｌ）コマンドとは異なる制御信号であり、
前記切替制御部は、前記制御信号に応じて前記出力切替部に前記映像信号の出力先を切り替えさせる、請求項１に記載の映像送信装置。
【請求項３】
前記切替制御部は、前記無線送信部により無線送信される映像信号の出力先で電源がオフにされたか、或いは、前記入力端子に入力される映像信号が未入力状態に変化した場合に、前記出力切替部を制御して前記映像信号の出力先を前記出力端子に切り替える、請求項２に記載の映像送信装置。
【請求項４】
前記出力切替部は、前記ＨＤＭＩ信号に施されたＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）を解除することなく、前記出力端子又は前記無線送信部に前記映像信号を出力する、請求項２に記載の映像送信装置。
【請求項５】
映像信号が入力される入力端子と、
映像機器に有線接続される出力端子と、
前記映像信号を所定の無線変調方式で変調して無線送信する無線送信部と、
前記入力端子、前記出力端子、及び前記無線送信部に接続され、前記入力端子から入力された映像信号の出力先を前記出力端子又は前記無線送信部に切り替える出力切替部と、
前記出力切替部に前記映像信号の出力先を切り替えさせると共に、当該出力先の切り替えを通知するための切替通知を前記無線送信部に送信させる切替制御部と、
を有する、映像送信装置。
【請求項６】
映像信号が入力される入力端子と、映像機器に有線接続される出力端子と、前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、を有する映像送信装置に対し、前記映像信号の送信先から前記無線通信部により前記出力先の切り替え要求が受信された場合に、当該切り替え要求に応じて前記出力切替部に前記映像信号の出力先を切り替えさせる切替制御ステップを含む、映像送信装置による出力先の切替制御方法。
【請求項７】
映像信号が入力される入力端子と、映像機器に有線接続される出力端子と、前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、を有する映像送信装置により、
前記出力切替部に前記映像信号の出力先を切り替えさせると共に、当該出力先の切り替えを通知するための切替通知を前記無線送信部に送信させる切替制御ステップを含む、映像送信装置による出力先の切替制御方法。
【発明の詳細な説明】
【技術分野】
【０００１】
本発明は、映像送信装置、及び映像送信装置による出力先の切替制御方法に関する。
【背景技術】
【０００２】
近年、会議や演説の場において講演者がパーソナルコンピュータ（以下、ＰＣ）を用いて聴講者に資料を提示している場面が多く見受けられるようになった。このような場面では、多くの場合、ＰＣに有線接続されたプロジェクタが用いられている。その際、講演者は、プロジェクタに設けられたＤＶＩ（Ｄｉｇｉｔａｌ  Ｖｉｓｕａｌ  Ｉｎｔｅｒｆａｃｅ）端子にケーブルでＰＣを接続し、ケーブルが届く位置でＰＣを操作しながら講演を行う。場合によっては、講演者の他に、ＰＣを操作する補助者が用意される。この場合、講演者はＰＣの画面内容が投影されるスクリーンの近くで演説を行う。
【０００３】
このように、プロジェクタは、大きなスクリーンに映像を投影して大勢の人に情報を提示するために用いられてきた。しかし、最近では、プロジェクタが一般家庭にも普及しつつあり、プロジェクタにより映画等を大画面で視聴するという利用スタイルも生まれてきている。このような背景には、高性能なプロジェクタが比較的安価に手に入るようになったことや、コンテンツのデジタル化により高品質な映像を家庭で容易に再生できる環境が整ったことがあるものと考えられる。
【０００４】
プロジェクタを利用するには、当然、プロジェクタと再生機器との間をケーブルで接続する必要がある。しかし、家庭内では、再生機器や録画再生機器は、テレビジョン受像機等の近辺に設置され、相互にケーブルで接続されている。そのため、これらのケーブルを外してプロジェクタに接続し直したり、再生機器等をプロジェクタの近くに移動させるのは非常に手間がかかる。そこで、再生機器等により出力される映像信号をプロジェクタに無線伝送する技術が注目されている。例えば、下記の特許文献１には、ＨＤＭＩ（Ｈｉｇｈ  Ｄｉｆｉｎｉｔｉｏｎ  Ｍｕｌｔｉ−Ｍｅｄｉａ  Ｉｎｔｅｒｆａｃｅ）データを無線伝送する技術が開示されている。
【０００５】
【特許文献１】特表２００７−５１１９７７号公報
【発明の開示】
【発明が解決しようとする課題】
【０００６】
しかしながら、ユーザは、視聴内容に関わらず常にプロジェクタを用いて映像を視聴することはない。当然、再生機器と無線伝送機器とを常時接続しておくことはないのである。通常、ユーザは、視聴する映像の種類等に応じてテレビジョン受像機等と無線伝送機器とを切り替える。その際、ユーザは、再生機器等の出力端子から延びるケーブルをテレビジョン受像機等と無線伝送機器との間で差し替える必要がある。つまり、無線伝送機器を用いてもケーブルの差し替え操作が必要になるのである。そのため、依然として利便性が低い状態にあると言わざるを得ない。
【０００７】
そこで、本発明は、上記問題に鑑みてなされたものであり、本発明の目的とするところは、映像信号を無線伝送する機器において、映像信号の出力先を有線又は無線で相互に切り替えることが可能な、新規かつ改良された映像送信装置、及び映像送信装置による出力先の切替制御方法を提供することにある。また、映像信号の送信元と送信先との間で、映像信号の出力先に関する情報をやり取りし、その情報に応じて送信元又は送信先の状態を制御することが可能になる。
【課題を解決するための手段】
【０００８】
上記課題を解決するために、本発明のある観点によれば、映像信号が入力される入力端子と、映像機器に有線接続される出力端子と、前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、前記無線通信部により前記出力先の切り替え要求が受信された場合に、当該切り替え要求に応じて前記出力切替部に前記映像信号の出力先を切り替えさせる切替制御部と、を有する、映像送信装置が提供される。
【０００９】
このように、上記の映像送信装置は、映像信号が入力される入力端子と、映像機器に有線接続される出力端子とを有する。そして、上記の映像送信装置は、無線送信部により、前記映像信号を所定の無線変調方式で変調して無線送信する。また、上記の映像送信装置は、出力切替部により、前記入力端子、前記出力端子、及び前記無線送信部に接続され、前記入力端子から入力された映像信号の出力先を前記出力端子又は前記無線送信部に切り替える。さらに、上記の映像送信装置は、上記の切替制御部により、前記無線通信部により前記出力先の切り替え要求が受信された場合に、当該切り替え要求に応じて前記出力切替部に前記映像信号の出力先を切り替えさせる。
【００１０】
また、前記映像信号は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）信号であり、前記切り替え要求は、ＣＥＣ（Ｃｏｎｓｕｍｅｒ  Ｅｌｅｃｔｒｏｎｉｃｓ  Ｃｏｎｔｒｏｌ）コマンドとは異なる制御信号であり、前記切替制御部は、前記制御信号に応じて前記出力切替部に前記映像信号の出力先を切り替えさせるように構成されていてもよい。
【００１１】
また、前記切替制御部は、前記無線送信部により無線送信される映像信号の出力先で電源がオフにされたか、或いは、前記入力端子に入力される映像信号が未入力状態に変化した場合に、前記出力切替部を制御して前記映像信号の出力先を前記出力端子に切り替えるように構成されていてもよい。
【００１２】
また、前記出力切替部は、前記ＨＤＭＩ信号に施されたＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）を解除することなく、前記出力端子又は前記無線送信部に前記映像信号を出力するように構成されていてもよい。
【００１３】
また、上記課題を解決するために、本発明の別の観点によれば、映像信号が入力される入力端子と、映像機器に有線接続される出力端子と、前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、前記出力切替部に前記映像信号の出力先を切り替えさせると共に、当該出力先の切り替えを通知するための切替通知を前記無線送信部に送信させる切替制御部と、を有する、映像送信装置が提供される。
【００１４】
また、上記課題を解決するために、本発明の別の観点によれば、映像信号が入力される入力端子と、映像機器に有線接続される出力端子と、前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、を有する映像送信装置に対し、前記映像信号の送信先から前記無線通信部により前記出力先の切り替え要求が受信された場合に、当該切り替え要求に応じて前記出力切替部に前記映像信号の出力先を切り替えさせる切替制御ステップを含む、映像送信装置による出力先の切替制御方法が提供される。
【００１５】
また、上記課題を解決するために、本発明の別の観点によれば、映像信号が入力される入力端子と、映像機器に有線接続される出力端子と、前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、を有する映像送信装置により、前記出力切替部に前記映像信号の出力先を切り替えさせると共に、当該出力先の切り替えを通知するための切替通知を前記無線送信部に送信させる切替制御ステップを含む、映像送信装置による出力先の切替制御方法が提供される。
【００１６】
また、上記課題を解決するために、本発明の別の観点によれば、上記の映像送信装置が有する機能をコンピュータに実現させるためのプログラムが提供される。さらに、当該プログラムが記録されたコンピュータにより読み取り可能な記録媒体が提供される。
【発明の効果】
【００１７】
以上説明したように本発明によれば、映像信号の出力先を有線又は無線で相互に切り替えることが可能になる。また、映像信号の送信元と送信先との間で、映像信号の出力先に関する情報をやり取りし、その情報に応じて送信元又は送信先の状態を制御することが可能になる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
［説明の流れについて］
ここで、以下に記載する本発明の実施形態に関する説明の流れについて簡単に述べる。まず、図１を参照しながら、映像出力システムの一構成例について説明し、当該映像出力システムが抱える技術的課題について説明する。次いで、図２を参照しながら、本発明の一実施形態に係る映像出力システムの一構成例について説明する。
【００２０】
次いで、図３を参照しながら、同実施形態の映像出力システムに含まれる無線送信装置の機能構成について説明する。次いで、図４を参照しながら、同実施形態の映像出力システムに含まれる無線受信装置の機能構成について説明する。次いで、図５〜図９を参照しながら、同実施形態の映像出力システムにおける映像信号の出力先自動切り替え方法について具体例を挙げながら詳細に説明する。
【００２１】
次いで、図１０を参照しながら、ＣＥＣコマンドを用いた切り替え制御方法における技術的な問題について指摘する。さらに、その技術的課題を解決する手段について述べる。次いで、図１１〜図１３を参照しながら、同実施形態に係る変形例について説明する。最後に、同実施形態の技術的思想について纏め、当該技術的思想から得られる作用効果について簡単に説明する。
【００２２】
［課題の整理］
まず、本発明の一実施形態について詳細に説明するに先立ち、同実施形態が解決しようとする課題について簡単に纏める。まず、図１を参照しながら、映像信号の無線伝送を実現することが可能な映像出力システム１０について説明する。この説明の中で、映像出力システム１０が抱える技術的課題について説明すると共に、同実施形態が解決しようとする課題について述べる。図１は、映像信号の無線伝送を実現することが可能な映像出力システム１０の一構成例を示す説明図である。
【００２３】
（映像出力システム１０の構成）
図１に示すように、映像出力システム１０には、映像再生装置１２と、映像表示装置１４と、無線送信装置１６と、無線受信装置１８と、映像投影装置２０とが含まれる。
【００２４】
映像再生装置１２は、映像を再生する装置である。例えば、映像再生装置１２は、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｃ）、ＨＤＤ（Ｈａｒｄ  Ｄｉｓｋ  Ｄｒｉｖｅ）等に記録された映像を読み出して再生する。但し、映像再生装置１２は、テレビジョン映像等を録画することが可能な録画再生装置であってもよい。さらに、映像再生装置１２は、ＰＣやゲーム機等であってもよい。
【００２５】
映像再生装置１２は、ＨＤＭＩケーブル等を用いて映像表示装置１４、又は無線送信装置１６に有線接続することができる。例えば、図１に示すように、映像再生装置１２と映像表示装置１４とがＨＤＭＩケーブルで接続されている場合、映像再生装置１２から出力された映像信号は、映像表示装置１４に入力される。映像表示装置１４は、入力された映像信号を表示する装置である。そのため、映像再生装置１２から映像信号が入力されると、その映像信号が映像表示装置１４に表示される。
【００２６】
一方、映像再生装置１２と無線送信装置１６とがＨＤＭＩケーブルで接続されている場合、映像再生装置１２から出力された映像信号は、無線送信装置１６に入力される。このとき、映像表示装置１４に接続されたＨＤＭＩケーブルは、映像再生装置１２から取り外されている。つまり、無線送信装置１６にＨＤＭＩケーブルを接続するためには、映像表示装置１４に接続されたＨＤＭＩケーブルを差し替える必要がある。いま、無線送信装置１６にＨＤＭＩケーブルが接続されているものとしよう。
【００２７】
その場合、無線送信装置１６には、映像再生装置１２から映像信号が入力される。そして、無線送信装置１６は、映像再生装置１２から入力された映像信号を無線チャネルを通じて無線受信装置１８に無線伝送する。無線送信装置１６により無線伝送された映像信号は、無線受信装置１８により受信される。無線受信装置１８には、映像投影装置２０がＨＤＭＩケーブルで有線接続されている。そのため、無線受信装置１８により受信された映像信号は、ＨＤＭＩケーブルを通じて映像投影装置２０に入力される。そして、映像投影装置２０は、無線受信装置１８から入力された映像信号をスクリーンに投影する。
【００２８】
（課題の整理）
上記の通り、映像出力システム１０は、映像再生装置１２の接続先を切り替えることにより、映像信号の出力先を映像表示装置１４と映像投影装置２０との間で切り替えることができるシステムである。映像出力システム１０を用いると、例えば、普段は映像表示装置１４を用いて録画番組を視聴し、映画を視聴する場合には映像投影装置２０を用いて大画面の迫力ある映像を楽しむといった使い方ができるようになる。しかしながら、映像信号の出力先を切り替えるのに、映像再生装置１２と、映像表示装置１４又は無線送信装置１６との間に配線されたＨＤＭＩケーブルを差し替える必要がある。
【００２９】
通常、ＨＤＭＩケーブル等のケーブルは、映像再生装置１２から頻繁に取り外すものではないため、映像再生装置１２の背面に接続端子が設けられていることが多い。また、映像再生装置１２がテレビジョン受像機のラック等に設置されていると、ＨＤＭＩケーブル等を差し替えるのに、一旦、映像再生装置１２をラック等から取り出す必要がある。もちろん、映像再生装置１２がＰＣやゲーム機等の場合でも同様である。そのため、映像再生装置１２を移動させたり、ＨＤＭＩケーブル等を差し替えたりするのに非常に大きな手間がかかる。その結果、映像投影装置２０の利用機会が減少してしまう。
【００３０】
そこで、ＨＤＭＩケーブル等を差し替えることなく、映像信号の出力先を映像表示装置１４と映像投影装置２０との間で切り替えて利用できるようにする技術が求められている。後述する本発明の一実施形態においては、このような技術的課題を解決する手段が提供される。以下、当該手段について詳細に説明する。
【００３１】
＜実施形態＞
本発明の一実施形態について説明する。本実施形態は、映像再生装置１２に接続されたＨＤＭＩケーブル等を差し替えることなく、映像信号の出力先を有線接続された映像表示装置１４と無線接続された映像投影装置２０との間で切り替える技術に関する。当該技術を用いることで、ユーザは、ＨＤＭＩケーブル等を差し替えることなく、容易に映像信号の出力先を切り替えることができるようになる。
【００３２】
［映像出力システム１０００の構成］
まず、図２を参照しながら、本実施形態に係る映像出力システム１０００の構成について説明する。図２は、本実施形態に係る映像出力システム１０００の一構成例を示す説明図である。但し、上記の映像出力システム１０と実質的に同一の機能を有する構成要素については同一の符号を付することにより詳細な説明を省略する。
【００３３】
図２に示すように、映像出力システム１０００には、主に、映像再生装置１２と、映像表示装置１４と、無線送信装置１００と、無線受信装置２００と、映像投影装置２０とが含まれる。但し、映像再生装置１２、及び無線送信装置１００は、映像再生ユニット３０として一体に形成されていてもよい。また、映像投影装置２０、及び無線受信装置２００は、映像出力ユニット５０として一体に形成されていてもよい。
【００３４】
図２に示した通り、映像再生装置１２は、ＨＤＭＩケーブル等を用いて無線送信装置１００に有線接続される。映像再生装置１２から出力された映像信号は、無線送信装置１００に入力される。無線送信装置１００は、映像再生装置１２の他に、映像表示装置１４にも接続されている。但し、無線送信装置１００と映像表示装置１４との間は、ＨＤＭＩケーブル等により有線接続されている。そのため、無線送信装置１００から映像表示装置１４に映像信号が入力されることで、映像表示装置１４に映像が表示される。
【００３５】
一方、無線送信装置１００は、無線受信装置２００に対し、映像再生装置１２から入力された映像信号を無線伝送することができる。この場合、無線送信装置１００は、映像再生装置１２から入力された映像信号の出力先を映像表示装置１４から無線受信装置２００に切り替える。このとき、ユーザは、ＨＤＭＩケーブル等を差し替える必要がない。
【００３６】
無線送信装置１００から無線伝送された映像信号は、無線受信装置２００により受信される。無線受信装置２００には、ＨＤＭＩケーブル等により映像投影装置２０が有線接続されている。そのため、無線受信装置２００により受信された映像信号は、ＨＤＭＩケーブル等を通じて映像投影装置２０に入力される。そして、映像投影装置２０は、無線受信装置２００から入力された映像信号をスクリーンに投影する。
【００３７】
以上説明した通り、本実施形態に係る映像出力システム１０００は、無線送信装置１００を含み、映像再生装置１２から出力された映像信号の出力先を映像表示装置１４と映像投影装置２０との間で容易に切り替えることができる。このような効果を得るために、本実施形態においては、無線送信装置１００が、映像表示装置１４への有線出力と無線受信装置２００への無線出力とを切り替えるように構成されている。そのため、ユーザは、無線送信装置１００を適切に制御して有線出力と無線出力とを切り替えることで、ＨＤＭＩケーブル等を差し替える必要無く、映像信号の出力先を容易に切り替えることができる。
【００３８】
［無線送信装置１００の機能構成］
次に、図３を参照しながら、本実施形態に係る無線送信装置１００の機能構成について説明する。図３は、本実施形態に係る無線送信装置１００の機能構成例を示す説明図である。上記の通り、本実施形態は、無線送信装置１００において映像信号の出力先を切り替え制御する技術に関するものである。そこで、以下の説明においては、このような制御技術に関する機能構成を中心に説明する。
【００３９】
図３に示すように、無線送信装置１００は、主に、制御ユニット１１０と、無線通信ユニット１５０とを有する。制御ユニット１１０は、無線送信装置１００が有する各構成要素の動作を制御すると共に、映像信号の出力先に関する切り替え制御するものである。一方、無線通信ユニット１５０は、無線受信装置２００との間の無線通信処理を実行するものである。
【００４０】
（制御ユニット１１０）
まず、制御ユニット１１０に含まれる各構成要素について説明する。制御ユニット１１０は、ＨＤＭＩ入力端子１１２と、切替部１１４と、ＨＤＭＩ出力端子１１６と、ＨＤＭＩレシーバ１１８と、中央制御部１２０と、メモリ１２２と、通信部１２４と、操作部１２６と、表示部１２８と、電源１３０と、電源端子１３２とを含む。
【００４１】
ＨＤＭＩ入力端子１１２には、映像再生装置１２に配線されたＨＤＭＩケーブルが接続される。そして、ＨＤＭＩ入力端子１１２には、映像再生装置１２から映像信号が入力される。ＨＤＭＩ入力端子１１２から入力された映像信号は、切替部１１４に入力される。切替部１１４には、ＨＤＭＩ入力端子１１２の他に、ＨＤＭＩ出力端子１１６、及びＨＤＭＩレシーバ１１８が接続されている。ＨＤＭＩ出力端子１１６は、ＨＤＭＩケーブルにより映像表示装置１４に接続されている。ＨＤＭＩレシーバ１１８は、無線通信ユニット１５０を介して映像信号を無線伝送するための手段である。
【００４２】
切替部１１４は、ＨＤＭＩ入力端子１１２から入力された映像信号の出力先をＨＤＭＩ出力端子１１６又はＨＤＭＩレシーバ１１８に切り替える手段である。切替部１１４により映像信号の出力先がＨＤＭＩ出力端子１１６に接続されると、ＨＤＭＩ入力端子１１２から入力された映像信号は、ＨＤＭＩケーブルを介して映像表示装置１４に入力される。一方、切替部１１４により映像信号の出力先がＨＤＭＩレシーバ１１８に接続されると、ＨＤＭＩ入力端子から入力された映像信号は、無線通信ユニット１５０を介して無線受信装置２００に無線伝送される。
【００４３】
なお、映像信号には、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）等の暗号が施されていることがある。この場合、切替部１１４は、ＨＤＭＩ出力端子１１６又はＨＤＭＩレシーバ１１８に対し、ＨＤＣＰ等の暗号を解除せずに映像信号を出力する。また、映像信号がＨＤＭＩ信号の場合、切替部１１４は、出力先に関わらず、ＴＭＤＳ信号、ＤＤＣ信号、ＣＥＣ信号、＋５Ｖ電源、ＨｏｔｐｌｕｇＤｅｔｅｃｔ信号等をそのまま出力する。但し、ＴＭＤＳとは、Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇの略である。また、ＤＤＣとは、Ｄｉｓｐｌａｙ  Ｄａｔａ  Ｃｈａｎｎｅｌの略である。
【００４４】
ＨＤＭＩレシーバ１１８においては、例えば、ＴＭＤＳ信号が解析され、映像信号、音声信号、及びその他の信号に分離される。但し、以下の説明においては、これらの信号を纏めて映像信号等又は単に映像信号と呼ぶ場合がある。ＨＤＭＩレシーバ１１８において分離された映像信号や音声信号は、無線通信ユニット１５０に入力され、上記の通り、無線受信装置２００に対して無線伝送される。なお、上記の切替部１１４、及びＨＤＭＩレシーバ１１８は、中央制御部１２０により制御される。特に、切替部１１４は、ＣＥＣコマンドを用いて中央制御部１２０により制御される。
【００４５】
中央制御部１２０は、ＣＰＵ（Ｃｅｎｔｒａｌ  Ｐｒｏｃｅｓｓｉｎｇ  Ｕｎｉｔ）により構成され、例えば、メモリ１２２に記録されたプログラム等に基づいて制御処理を実行する。このとき、中央制御部１２０は、メモリ１２２に格納されているデータを制御処理に用いたり、メモリ１２２をキャッシュとして利用したりすることもある。
【００４６】
なお、メモリ１２２としては、光記録媒体、光磁気記録媒体、磁気記録媒体、又は半導体記録媒体等が用いられる。メモリ１２２としては、例えば、各種のＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等が用いられる。また、メモリ１２２としては、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）が搭載されていることもある。
【００４７】
中央制御部１２０には、切替部１１４、ＨＤＭＩレシーバ１１８、メモリ１２２の他に、通信部１２４、操作部１２６、表示部１２８、電源１３０が接続されている。例えば、中央制御部１２０には、通信部１２４から通信データが入力される。また、中央制御部１２０には、操作部１２６からユーザ入力を示す操作信号が入力される。さらに、中央制御部１２０には、電源１３０から電力と共に、電力の供給状態を示す状態信号が入力される。逆に、中央制御部１２０は、通信部１２４に対して通信データを入力する。また、中央制御部１２０は、表示部１２８に対して表示データを入力する。さらに、中央制御部１２０は、電源１３０に対して電源のオン／オフを制御するための制御信号を入力する。なお、電源１３０には、電源端子１３２に接続された外部電源から電力が供給される。
【００４８】
なお、操作部１２６としては、例えば、無線送信装置１００の筐体外部に設けられた操作ボタンやリモートコントローラ（以下、リモコン）等が用いられる。操作ボタンとしては、例えば、電源のオン／オフを切り替える電源ボタンや、表示部１２８に表示される情報の切り替え操作を行うための表示切り替えボタン等が設けられる。また、表示部１２８としては、例えば、ＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）等が用いられる。ＬＣＤ等には、ＯＳＤ等が表示され、操作部１２６と協働してユーザ入力を受け付ける役割を果たす。
【００４９】
また、中央制御部１２０は、無線通信ユニット１５０にも接続されている。特に、中央制御部１２０は、無線通信ユニット１５０に含まれる通信制御部１５２との間で制御情報をやり取りし、映像信号の入力状態や通信状態、或いは、切替部１１４の出力先に関する情報を相互に共有する。上記の通り、中央制御部１２０は、無線送信装置１００に含まれる各構成要素の動作を制御する。また、中央制御部１２０は、ＨＤＭＩ出力端子１１６に接続された映像表示装置１４の動作を制御することも可能である。例えば、切替部１１４により映像信号の出力先がＨＤＭＩレシーバ１１８に切り替えられた際に、ＨＤＭＩ出力端子１１６に接続された映像表示装置１４の電源をオフすることができる。
【００５０】
（無線通信ユニット１５０）
次に、無線通信ユニット１５０に含まれる各構成要素について説明する。無線通信ユニット１５０は、通信制御部１５２と、ベースバンド部１５４と、無線通信部１５６と、アンテナ１５８とを含む。
【００５１】
通信制御部１５２は、無線通信ユニット１５０に含まれる各構成要素を制御する手段である。例えば、通信制御部１５２は、ベースバンド部１５４による変復調処理等を制御する。また、通信制御部１５２は、制御ユニット１１０に含まれる中央制御部１２０に接続されており、中央制御部１２０から切替部１１４の出力先に関する情報や、映像信号の入力状態等を取得することができる。さらに、通信制御部１５２は、無線チャネルを通じて取得した無線受信装置２００、映像投影装置２０の状態に関する情報、又は無線チャネルの伝送品質に関する情報等を中央制御部１２０に通知することができる。
【００５２】
ベースバンド部１５４は、制御ユニット１１０に含まれるＨＤＭＩレシーバ１１８から入力された映像信号や音声信号を変調して無線通信部１５６に入力する。無線通信部１５６は、ベースバンド部１５４から入力されたＲＦ信号をアンテナ１５８により無線受信装置２００に送信する。また、無線通信部１５６は、アンテナ１５８を用いてＲＦ信号を受信し、ベースバンド部１５４に入力する。無線通信部１５６からＲＦ信号が入力された場合、ベースバンド部１５４は、そのＲＦ信号を復調してベースバンド信号を生成する。ベースバンド部１５４により生成されたベースバンド信号は、通信制御部１５２に入力され、中央制御部１２０に伝達される。
【００５３】
以上説明したように、無線送信装置１００は、制御ユニット１１０に切替部１１４を含むことで、映像信号の出力先を有線出力と無線出力との間で切り替えることができる。なお、切替部１１４の切り替え制御方法、及び切替部１１４の切り替え処理に伴う種々の制御処理については後段において詳述する。
【００５４】
［無線受信装置２００の機能構成］
次に、図４を参照しながら、本実施形態に係る無線受信装置２００の機能構成について説明する。図４は、本実施形態に係る無線受信装置２００の機能構成例を示す説明図である。
【００５５】
図４に示すように、無線受信装置２００は、主に、制御ユニット２１０と、無線通信ユニット２５０とを有する。制御ユニット２１０は、無線受信装置２００が有する各構成要素の動作を制御するものである。一方、無線通信ユニット２５０は、無線送信装置１００との間の無線通信処理を実行するものである。
【００５６】
（制御ユニット２１０）
まず、制御ユニット２１０に含まれる各構成要素について説明する。制御ユニット２１０は、中央制御部２１２と、メモリ２１４と、通信部２２２と、操作部２２４と、表示部２２６と、電源２１６と、電源端子２１８と、制御端子２２０とを含む。
【００５７】
中央制御部２１２は、ＣＰＵにより構成され、例えば、メモリ２１４に記録されたプログラム等に基づいて制御処理を実行する。このとき、中央制御部２１２は、メモリ２１４に格納されているデータを制御処理に用いたり、メモリ２１４をキャッシュとして利用したりすることもある。なお、メモリ２１４としては、光記録媒体、光磁気記録媒体、磁気記録媒体、又は半導体記録媒体等が用いられる。メモリ２１４としては、例えば、各種のＲＯＭやＲＡＭ等が用いられる。また、メモリ１２２としては、例えば、ＥＥＰＲＯＭが搭載されていることもある。
【００５８】
中央制御部２１２には、メモリ２１４の他に、通信部２２２、操作部２２４、表示部２２６、電源２１６が接続されている。例えば、中央制御部２１２には、通信部２２２から通信データが入力される。また、中央制御部２１２には、操作部２２４からユーザ入力を示す操作信号が入力される。さらに、中央制御部２１２には、電源２１６から電力と共に、電力の供給状態を示す状態信号が入力される。逆に、中央制御部２１２は、通信部２２２に対して通信データを入力する。また、中央制御部２１２は、表示部２２６に対して表示データを入力する。さらに、中央制御部２１２は、電源２１６に対して電源のオン／オフを制御するための制御信号を入力する。なお、電源２１６には、電源端子２１８に接続された外部電源から電力が供給される。
【００５９】
なお、操作部２２４としては、例えば、無線受信装置２００の筐体外部に設けられた操作ボタンやリモコン等が用いられる。操作ボタンとしては、例えば、電源のオン／オフを切り替える電源ボタンや、表示部２２６に表示される情報の切り替え操作を行うための表示切り替えボタン等が設けられる。また、表示部２２６としては、例えば、ＬＥＤやＬＣＤ等が用いられる。ＬＣＤ等には、ＯＳＤ等が表示され、操作部２２４と協働してユーザ入力を受け付ける役割を果たす。
【００６０】
また、中央制御部２１２は、無線通信ユニット２５０にも接続されている。特に、中央制御部２１２は、無線通信ユニット２５０に含まれる通信制御部２６０との間で制御情報をやり取りし、映像信号の入力状態や通信状態、或いは、無線送信装置１００が有する切替部１１４の出力先に関する情報を相互に共有する。また、中央制御部２１２は、制御端子２２０に接続された機器（例えば、映像投影装置２０）の動作を制御することも可能である。例えば、無線通信ユニット２５０を通じて接続機器の電源オフが要求された場合に、中央制御部２１２は、制御端子２２０に接続された機器の電源をオフする。
【００６１】
（無線通信ユニット２５０）
次に、無線通信ユニット２５０に含まれる各構成要素について説明する。無線通信ユニット２５０は、通信制御部２６０と、ＨＤＭＩ出力端子２５８と、ベースバンド部２５６と、無線通信部２５４と、アンテナ２５２とを含む。
【００６２】
通信制御部２６０は、無線通信ユニット２５０に含まれる各構成要素を制御する手段である。例えば、通信制御部２６０は、ベースバンド部２５６による変復調処理等を制御する。また、通信制御部２６０は、制御ユニット２１０に含まれる中央制御部２１２に接続されており、中央制御部２１２に対し、無線送信装置１００が有する切替部１１４の出力先に関する情報や、映像信号の入力状態等を通知することができる。さらに、通信制御部２６０は、無線チャネルを通じて取得した無線送信装置１００の状態情報や映像投影装置２０の状態に関する情報を中央制御部２１２に通知することができる。
【００６３】
無線通信部２５４は、アンテナ２５２を用いてＲＦ信号を受信し、ベースバンド部２５６に入力する。無線通信部２５４からＲＦ信号が入力された場合、ベースバンド部２５６は、そのＲＦ信号を復調してベースバンド信号を生成する。ベースバンド部２５６により生成されたベースバンド信号は、ＨＤＭＩ出力端子２５８に入力されるか、通信制御部２６０に入力され、中央制御部２１２に伝達される。例えば、ベースバンド部２５６により映像信号等が復調された場合、映像信号等は、ＨＤＭＩ出力端子２５８に入力される。
【００６４】
ＨＤＭＩ出力端子２５８には、ＨＤＭＩケーブルにより映像投影装置２０が接続されている。そのため、ベースバンド部２５６から映像信号等がＨＤＭＩ出力端子２５８に入力されると、その映像信号等は、ＨＤＭＩケーブルを通じて映像投影装置２０に入力される。また、ベースバンド部２５６により制御信号等が復調された場合、制御信号等は、通信制御部２６０に入力され、通信制御部２６０から中央制御部２１２に伝達される。中央制御部２１２は、伝達された制御信号等に基づいて無線受信装置２００の各構成要素又は制御端子２２０に接続された機器の動作を制御する。
【００６５】
一方、中央制御部２１２から出力された制御信号等が通信制御部２６０を介してベースバンド部２５６に入力された場合、ベースバンド部２５６は、通信制御部２６０から入力された制御信号等を変調してＲＦ信号を生成する。ベースバンド部２５６により生成されたＲＦ信号は、無線通信部２５４に入力され、無線通信部２５４によりアンテナ２５２を介して無線送信装置１００に無線伝送される。
【００６６】
以上説明した通り、無線受信装置２００は、無線送信装置１００から映像信号等を受信すると共に、無線送信装置１００との間で状態情報や制御情報等をやり取りする。また、無線受信装置２００は、無線送信装置１００から受信した制御信号等に基づいて制御端子２２０に接続された機器を制御することもできる。さらに、無線受信装置２００は、制御端子２２０に接続された機器から取得した制御信号等を無線送信装置１００に伝送することもできる。
【００６７】
［切り替え制御方法について］
次に、図５〜図９を参照しながら、本実施形態に係る映像信号の出力先の切り替え制御方法について説明する。図５〜図９は、本実施形態に係る映像信号の出力先の切り替え制御処理に係る一連のシーケンスを具体的に説明するための説明図である。なお、無線受信装置２００の制御端子２２０には、映像投影装置２０が接続されているものとする。
【００６８】
（受信側の電源に連動して出力先を切り替える方法）
図５、図６を参照しながら、無線受信装置２００に接続された映像投影装置２０の電源オン／オフに連動して映像信号の出力先を切り替える方法について説明する。図５は、電源オフに連動して、映像信号の出力先を無線出力から有線出力に切り替える際のシーケンスを示したものである。図６は、電源オンに連動して、映像信号の出力先を有線出力から無線出力に切り替える際のシーケンスを示したものである。
【００６９】
（無線出力→有線出力）
まず、図５を参照する。図５の例では、映像信号の出力先が映像投影装置２０に設定され、映像信号が無線送信装置１００から無線受信装置２００に無線伝送されている。この状態において映像投影装置２０の電源がオフにされると、映像投影装置２０から出力された電源オフ通知は、制御端子２２０を通じて中央制御部２１２に入力される（Ｓ１０２）。ここで言う電源オフ通知とは、映像投影装置２０の電源がオフの状態に変更されたことを示す変更通知信号である。中央制御部２１２は、制御端子２２０を通じて電源オフ通知を取得すると、通信制御部２６０に対してＳＷ切替要求を送信する（Ｓ１０４）。ここで言うＳＷ切替要求とは、映像信号の出力先を切り替えさせる制御信号の一例である。
【００７０】
中央制御部２１２から通信制御部２６０にＳＷ切替要求が伝達されると、通信制御部２６０は、無線送信装置１００の通信制御部１５２に対してＳＷ切替要求を無線送信する（Ｓ１０６）。このとき、通信制御部２６０は、ベースバンド部２５６によりＳＷ切替要求をＲＦ信号に変調させ、無線通信部２５４によりＲＦ信号を無線送信させる。一方、無線送信装置１００の通信制御部１５２は、無線通信部１５６により無線受信されたＲＦ信号をベースバンド部１５４によりＳＷ切替要求を復調させる。そして、通信制御部１５２は、受信通知を中央制御部１２０に伝達する（Ｓ１０８）。ここで言う受信通知とは、無線受信装置２００から信号を受信した旨を通知するための通知信号である。
【００７１】
通信制御部１５２から中央制御部１２０に受信通知が伝達された後、さらに、通信制御部１５２は、ＳＷ切替要求を中央制御部１２０に伝送する（Ｓ１１０）。この場合、ＳＷ切替要求は、映像信号の出力先を無線出力から有線出力に切り替えさせるものである。通信制御部１５２から中央制御部１２０に受信通知、及びＳＷ切替要求が伝達されると、中央制御部１２０は、通信制御部１５２に対してＳＷ状態通知を送信する（Ｓ１１２）。ここで言うＳＷ状態通知とは、切替部１１４の出力先がＨＤＭＩ出力端子１１６なのか、ＨＤＭＩレシーバ１１８なのかを示す状態通知信号である。この場合、ＳＷ切替要求により、映像信号の出力先がＨＤＭＩ出力端子１１６に切り替えられるため、ＳＷ状態通知には、出力先がＨＤＭＩ出力端子１１６（有線出力）である旨が示される。
【００７２】
中央制御部１２０から通信制御部１５２にＳＷ状態通知が伝達されると、通信制御部１５２は、ＳＷ状態通知を無線受信装置２００の通信制御部２６０に対して送信する（Ｓ１１４）。このとき、通信制御部１５２は、ＳＷ状態通知をベースバンド部１５４によりＲＦ信号に変調させ、無線通信部１５６によりＲＦ信号を送信させる。通信制御部１５２から無線受信装置２００の通信制御部２６０にＳＷ状態通知が伝達されると、無線受信装置２００の通信制御部２６０は、中央制御部２１２に受信通知を伝達する（Ｓ１１６）。
【００７３】
通信制御部２６０から中央制御部２１２に受信通知が伝達された後、さらに、通信制御部２６０は、ＳＷ状態通知を中央制御部２１２に伝達する（Ｓ１１８）。このとき、通信制御部２６０は、無線通信部２５４により受信したＲＦ信号をベースバンド部２５６に入力させ、ベースバンド部２５６によりＳＷ状態通知を復調させる。通信制御部２６０から中央制御部２１２にＳＷ状態通知が伝達されると、中央制御部２１２は、制御端子２２０に状態変更通知を入力し、映像投影装置２０に状態変更通知を伝送する（Ｓ１２０）。制御端子２２０を介して映像投影装置２０に状態変更通知が伝達されると、制御端子２２０を通じて中央制御部２１２に取得完了通知が伝送される（Ｓ１２２）。
【００７４】
さて、無線送信装置１００においては、中央制御部１２０から通信制御部１５２にＳＷ状態通知が送信された後、さらに、中央制御部１２０から通信制御部１５２に映像信号送信停止要求が送信されている（Ｓ１２４）。ここで言う映像信号送信停止要求とは、映像信号が無線受信装置２００に無線伝送されないように通信制御部１５２を制御するための制御信号である。そのため、中央制御部１２０から通信制御部１５２に映像信号送信停止要求が伝達されると、通信制御部１５２は、無線受信装置２００に対する映像信号の無線伝送を停止させる。例えば、ベースバンド部１５４にＨＤＭＩレシーバ１１８から映像信号が入力されたいたとしても、通信制御部１５２は、ベースバンド部１５４を制御して映像信号の無線伝送を停止させる。
【００７５】
中央制御部１２０から通信制御部１５２に映像信号送信停止要求が伝達された後、中央制御部１２０は、切替部１１４に対してＳＷ切替要求を伝送する（Ｓ１２６）。中央制御部１２０から切替部１１４にＳＷ切替要求が伝達されると、切替部１１４は、映像信号の出力先をＨＤＭＩレシーバ１１８からＨＤＭＩ出力端子１１６に切り替える（Ｓ１２８）。切替部１１４による出力先の切替処理が完了すると、映像信号の出力先は有線出力に切り替えられ、映像表示装置１４に映像が表示されることになる。
【００７６】
（有線出力→無線出力）
次に、図６を参照する。図６の例では、映像信号の出力先が映像表示装置１４に設定され、映像信号が無線送信装置１００から無線受信装置２００に無線伝送されていない。この状態において映像投影装置２０の電源がオンにされると、映像投影装置２０から出力された電源オン通知は、制御端子２２０を通じて中央制御部２１２に入力される（Ｓ１５２）。ここで言う電源オン通知とは、映像投影装置２０の電源がオンの状態に変更されたことを示す変更通知信号である。中央制御部２１２は、制御端子２２０を通じて電源オン通知を取得すると、通信制御部２６０に対してＳＷ切替要求を送信する（Ｓ１５４）。ここで言うＳＷ切替要求とは、映像信号の出力先を切り替えさせる制御信号の一例である。
【００７７】
中央制御部２１２から通信制御部２６０にＳＷ切替要求が伝達されると、通信制御部２６０は、無線送信装置１００の通信制御部１５２に対してＳＷ切替要求を無線送信する（Ｓ１５６）。このとき、通信制御部２６０は、ベースバンド部２５６によりＳＷ切替要求をＲＦ信号に変調させ、無線通信部２５４によりＲＦ信号を無線送信させる。一方、無線送信装置１００の通信制御部１５２は、無線通信部１５６により無線受信されたＲＦ信号をベースバンド部１５４によりＳＷ切替要求を復調させる。そして、通信制御部１５２は、受信通知を中央制御部１２０に伝達する（Ｓ１５８）。ここで言う受信通知とは、無線受信装置２００から信号を受信した旨を通知するための通知信号である。
【００７８】
通信制御部１５２から中央制御部１２０に受信通知が伝達された後、さらに、通信制御部１５２は、ＳＷ切替要求を中央制御部１２０に伝送する（Ｓ１６０）。この場合、ＳＷ切替要求は、映像信号の出力先を有線出力から無線出力に切り替えさせるものである。通信制御部１５２から中央制御部１２０にＳＷ切替要求が伝達されると、中央制御部１２０は、切替部１１４に対してＳＷ切替要求を伝送する（Ｓ１６２）。中央制御部１２０から切替部１１４にＳＷ切替要求が伝達されると、切替部１１４は、映像信号の出力先をＨＤＭＩ出力端子１１６からＨＤＭＩレシーバ１１８に切り替える（Ｓ１６４）。
【００７９】
さて、中央制御部１２０から切替部１１４にＳＷ切替要求が伝達された後、中央制御部１２０は、ＨＤＭＩ入力の初期化を行うと共に、ＳＷ状態を監視する（Ｓ１６６）。ここで言うＳＷ状態とは、映像信号の出力先がＨＤＭＩ出力端子１１６であるか、ＨＤＭＩレシーバ１１８であるかという状態のことである。中央制御部１２０によりＳＷ状態の切り替えが検知されると、中央制御部１２０から通信制御部１５２にＳＷ状態通知が送信される（Ｓ１６８）。この場合、ＳＷ切替要求により、映像信号の出力先がＨＤＭＩレシーバ１１８に切り替えられるため、ＳＷ状態通知には、出力先がＨＤＭＩレシーバ１１８（無線出力）である旨が示される。
【００８０】
中央制御部１２０から通信制御部１５２にＳＷ状態通知が伝達されると、通信制御部１５２は、ＳＷ状態通知を無線受信装置２００の通信制御部２６０に対して送信する（Ｓ１７０）。このとき、通信制御部１５２は、ＳＷ状態通知をベースバンド部１５４によりＲＦ信号に変調させ、無線通信部１５６によりＲＦ信号を送信させる。通信制御部１５２から無線受信装置２００の通信制御部２６０にＳＷ状態通知が伝達されると、無線受信装置２００の通信制御部２６０は、中央制御部２１２に受信通知を伝達する（Ｓ１７２）。
【００８１】
通信制御部２６０から中央制御部２１２に受信通知が伝達された後、さらに、通信制御部２６０は、ＳＷ状態通知を中央制御部２１２に伝達する（Ｓ１７４）。このとき、通信制御部２６０は、無線通信部２５４により受信したＲＦ信号をベースバンド部２５６に入力させ、ベースバンド部２５６によりＳＷ状態通知を復調させる。通信制御部２６０から中央制御部２１２にＳＷ状態通知が伝達されると、中央制御部２１２は、制御端子２２０に状態変更通知を入力し、映像投影装置２０に状態変更通知を伝送する（Ｓ１７６）。制御端子２２０を介して映像投影装置２０に状態変更通知が伝達されると、制御端子２２０を通じて中央制御部２１２に取得完了通知が伝送される（Ｓ１７８）。
【００８２】
さて、無線送信装置１００の中央制御部１２０から通信制御部１５２にＳＷ状態通知が伝送された後、中央制御部１２０は、ＨＤＭＩ入力の状態を監視しながら安定化するまで待機する（Ｓ１８０）。ＨＤＭＩ入力が安定化すると、中央制御部１２０は、通信制御部１５２に対して映像信号送信開始要求を伝達する（Ｓ１８２）。ここで言う映像信号送信開始要求とは、映像信号が無線受信装置２００に無線伝送されるように通信制御部１５２を制御するための制御信号である。そのため、中央制御部１２０から通信制御部１５２に映像信号送信開始要求が伝達されると、通信制御部１５２は、無線受信装置２００に対する映像信号の無線伝送を開始させる。
【００８３】
通信制御部１５２により映像信号の無線伝送が開始されると、無線受信装置２００のＨＤＭＩ出力端子２５８から映像信号が出力される。ＨＤＭＩ出力端子２５８から映像信号が出力されると、ＨＤＭＩ出力端子２５８に接続された映像投影装置２０により、映像がスクリーンに投影される（Ｓ１８４）。
【００８４】
以上説明したように、本実施形態に係る映像出力システム１０００においては、無線受信装置２００の制御端子２２０に接続された機器の電源オン／オフに連動して、映像信号の出力先が切り替わるように無線送信装置１００が制御される。
【００８５】
（送信側の切り替え操作に連動して受信側の電源を制御する方法）
図７を参照しながら、無線送信装置１００が有する切替部１１４の出力先切り替えに連動して無線受信装置２００に接続された映像投影装置２０の電源をオフする方法について説明する。図７は、無線送信装置１００が有する切替部１１４の出力先が有線出力に切り替えられた場合に無線受信装置２００に接続された映像投影装置２０の電源を自動的にオフする方法を示す説明図である。
【００８６】
図７の例では、映像信号の出力先が映像投影装置２０に設定され、映像信号が無線送信装置１００から無線受信装置２００に無線伝送されている。この状態において、ユーザ操作により映像信号の出力先が映像表示装置１４に変更されると、中央制御部１２０から通信制御部１５２にＳＷ状態通知が伝送される（Ｓ２０２）。ここで言うＳＷ状態通知とは、切替部１１４の出力先がＨＤＭＩ出力端子１１６なのか、ＨＤＭＩレシーバ１１８なのかを示す状態通知信号である。この場合、ＳＷ切替要求により、映像信号の出力先がＨＤＭＩ出力端子１１６に切り替えられるため、ＳＷ状態通知には、出力先がＨＤＭＩ出力端子１１６（有線出力）である旨が示される。
【００８７】
中央制御部１２０から通信制御部１５２にＳＷ状態通知が伝達されると、通信制御部１５２は、ＳＷ状態通知を無線受信装置２００の通信制御部２６０に対して送信する（Ｓ１１４）。このとき、通信制御部１５２は、ＳＷ状態通知をベースバンド部１５４によりＲＦ信号に変調させ、無線通信部１５６によりＲＦ信号を送信させる。通信制御部１５２から無線受信装置２００の通信制御部２６０にＳＷ状態通知が伝達されると、無線受信装置２００の通信制御部２６０は、中央制御部２１２に受信通知を伝達する（Ｓ２０６）。
【００８８】
通信制御部２６０から中央制御部２１２に受信通知が伝達された後、さらに、通信制御部２６０は、ＳＷ状態通知を中央制御部２１２に伝達する（Ｓ２０８）。このとき、通信制御部２６０は、無線通信部２５４により受信したＲＦ信号をベースバンド部２５６に入力させ、ベースバンド部２５６によりＳＷ状態通知を復調させる。通信制御部２６０から中央制御部２１２にＳＷ状態通知が伝達されると、中央制御部２１２は、制御端子２２０に状態変更通知を入力し、映像投影装置２０に状態変更通知を伝送する（Ｓ２１０）。
【００８９】
さらに、中央制御部２１２から制御端子２２０に状態変更通知が入力された後、中央制御部２１２は、制御端子２２０を通じて映像投影装置２０に電源オフ要求を伝送する（Ｓ２１２）。ここで言う電源オフ要求とは、映像投影装置２０に対して電源をオフするように制御するための制御信号である。制御端子２２０を通じて中央制御部２１２から映像投影装置２０に電源オフ要求が伝達され、映像投影装置２０の電源オフが検知されると（Ｓ２１４）、制御端子２２０を通じて映像投影装置２０から中央制御部２１２に電源オフ通知が伝送される（Ｓ２１６）。ここで言う電源オフ通知とは、電源がオフにされたことを通知するための状態通知信号である。
【００９０】
さて、無線送信装置１００においては、中央制御部１２０から通信制御部１５２にＳＷ状態通知が送信された後、さらに、中央制御部１２０から通信制御部１５２に映像信号送信停止要求が送信されている（Ｓ２１８）。ここで言う映像信号送信停止要求とは、映像信号が無線受信装置２００に無線伝送されないように通信制御部１５２を制御するための制御信号である。そのため、中央制御部１２０から通信制御部１５２に映像信号送信停止要求が伝達されると、通信制御部１５２は、無線受信装置２００に対する映像信号の無線伝送を停止させる。例えば、ベースバンド部１５４にＨＤＭＩレシーバ１１８から映像信号が入力されたいたとしても、通信制御部１５２は、ベースバンド部１５４を制御して映像信号の無線伝送を停止させる。
【００９１】
中央制御部１２０から通信制御部１５２に映像信号送信停止要求が伝達された後、中央制御部１２０は、切替部１１４に対してＳＷ切替要求を伝送する（Ｓ２２０）。中央制御部１２０から切替部１１４にＳＷ切替要求が伝達されると、切替部１１４は、映像信号の出力先をＨＤＭＩレシーバ１１８からＨＤＭＩ出力端子１１６に切り替える（Ｓ２２２）。切替部１１４による出力先の切替処理が完了すると、映像信号の出力先は有線出力に切り替えられ、映像表示装置１４に映像が表示されることになる。
【００９２】
（ＨＤＭＩ入力状態に連動して受信側の電源を制御する方法）
図８、図９を参照しながら、映像再生装置１２から入力されるＨＤＭＩ入力状態の変化に連動して無線受信装置２００に接続された映像投影装置２０の電源をオン／オフする方法について説明する。
【００９３】
図８は、映像再生装置１２から入力されるＨＤＭＩ信号の未入力状態が検知された場合に無線受信装置２００に接続された映像投影装置２０の電源を自動的にオフする方法を示す説明図である。図９は、映像再生装置１２から入力されるＨＤＭＩ信号の再入力状態が検知された場合に無線受信装置２００に接続された映像投影装置２０の電源を自動的にオンする方法を示す説明図である。
【００９４】
（入力状態→未入力状態）
まず、図８を参照する。図８の例では、映像信号の出力先が映像投影装置２０に設定され、映像信号が無線送信装置１００から無線受信装置２００に無線伝送されている。この状態において、ＨＤＭＩ信号の未入力状態が検知されると、中央制御部１２０から通信制御部１５２にＨＤＭＩ状態通知が伝送される（Ｓ２５２）。ここで言うＨＤＭＩ状態通知とは、ＨＤＭＩ信号が入力されているか否かを示す状態通知信号である。この場合、ＨＤＭＩ状態通知には、ＨＤＭＩ信号が未入力である旨が示される。
【００９５】
中央制御部１２０から通信制御部１５２にＨＤＭＩ状態通知が伝達されると、通信制御部１５２は、ＨＤＭＩ状態通知を無線受信装置２００の通信制御部２６０に対して送信する（Ｓ２５４）。このとき、通信制御部１５２は、ＨＤＭＩ状態通知をベースバンド部１５４によりＲＦ信号に変調させ、無線通信部１５６によりＲＦ信号を送信させる。通信制御部１５２から無線受信装置２００の通信制御部２６０にＨＤＭＩ状態通知が伝達されると、無線受信装置２００の通信制御部２６０は、中央制御部２１２に受信通知を伝達する（Ｓ２５６）。
【００９６】
通信制御部２６０から中央制御部２１２に受信通知が伝達された後、さらに、通信制御部２６０は、ＨＤＭＩ状態通知を中央制御部２１２に伝達する（Ｓ２５８）。このとき、通信制御部２６０は、無線通信部２５４により受信したＲＦ信号をベースバンド部２５６に入力させ、ベースバンド部２５６によりＨＤＭＩ状態通知を復調させる。通信制御部２６０から中央制御部２１２にＨＤＭＩ状態通知が伝達されると、中央制御部２１２は、制御端子２２０に状態変更通知を入力し、映像投影装置２０に対して状態変更通知を伝送する（Ｓ２６０）。
【００９７】
さらに、中央制御部２１２から制御端子２２０に状態変更通知が入力された後、中央制御部２１２は、制御端子２２０を通じて映像投影装置２０に電源オフ要求を伝送する（Ｓ２６２）。ここで言う電源オフ要求とは、映像投影装置２０に対して電源をオフするように制御するための制御信号である。制御端子２２０を通じて中央制御部２１２から映像投影装置２０に電源オフ要求が伝達され、映像投影装置２０の電源オフが検知されると（Ｓ２６４）、制御端子２２０を通じて映像投影装置２０から中央制御部２１２に電源オフ通知が伝送される（Ｓ２６６）。ここで言う電源オフ通知とは、電源がオフにされたことを通知するための状態通知信号である。
【００９８】
さて、無線送信装置１００においては、中央制御部１２０から通信制御部１５２にＨＤＭＩ状態通知が送信された後、さらに、中央制御部１２０から通信制御部１５２に映像信号送信停止要求が送信されている（Ｓ２６８）。ここで言う映像信号送信停止要求とは、映像信号が無線受信装置２００に無線伝送されないように通信制御部１５２を制御するための制御信号である。そのため、中央制御部１２０から通信制御部１５２に映像信号送信停止要求が伝達されると、通信制御部１５２は、無線受信装置２００に対する映像信号の無線伝送を停止させる。例えば、ベースバンド部１５４にＨＤＭＩレシーバ１１８から映像信号が入力されたいたとしても、通信制御部１５２は、ベースバンド部１５４を制御して映像信号の無線伝送を停止させる。
【００９９】
中央制御部１２０から通信制御部１５２に映像信号送信停止要求が伝達された後、中央制御部１２０は、切替部１１４に対してＳＷ切替要求を伝送する（Ｓ２７０）。中央制御部１２０から切替部１１４にＳＷ切替要求が伝達されると、切替部１１４は、映像信号の出力先をＨＤＭＩレシーバ１１８からＨＤＭＩ出力端子１１６に切り替える（Ｓ２７２）。切替部１１４による出力先の切替処理が完了すると、ＨＤＭＩ信号が入力状態に復帰したとしても、すぐには無線出力されないため、無線通信ユニット１５０の電力供給量を低減又は停止させ、省電力化することができる。
【０１００】
（未入力状態→入力状態）
次に、図９を参照する。図９の例では、映像信号の出力先が映像表示装置１４に設定され、映像信号が無線送信装置１００から無線受信装置２００に無線伝送されていない。この状態において、ＨＤＭＩ信号の入力状態が検知されると、中央制御部１２０から通信制御部１５２にＨＤＭＩ状態通知が伝送される（Ｓ２８２）。ここで言うＨＤＭＩ状態通知とは、ＨＤＭＩ信号が入力されているか否かを示す状態通知信号である。この場合、ＨＤＭＩ状態通知には、ＨＤＭＩ信号が入力状態である旨が示される。
【０１０１】
中央制御部１２０から通信制御部１５２にＨＤＭＩ状態通知が伝達されると、通信制御部１５２は、ＨＤＭＩ状態通知を無線受信装置２００の通信制御部２６０に対して送信する（Ｓ２８４）。このとき、通信制御部１５２は、ＨＤＭＩ状態通知をベースバンド部１５４によりＲＦ信号に変調させ、無線通信部１５６によりＲＦ信号を送信させる。通信制御部１５２から無線受信装置２００の通信制御部２６０にＨＤＭＩ状態通知が伝達されると、無線受信装置２００の通信制御部２６０は、中央制御部２１２に受信通知を伝達する（Ｓ２８６）。
【０１０２】
通信制御部２６０から中央制御部２１２に受信通知が伝達された後、さらに、通信制御部２６０は、ＨＤＭＩ状態通知を中央制御部２１２に伝達する（Ｓ２８８）。このとき、通信制御部２６０は、無線通信部２５４により受信したＲＦ信号をベースバンド部２５６に入力させ、ベースバンド部２５６によりＨＤＭＩ状態通知を復調させる。通信制御部２６０から中央制御部２１２にＨＤＭＩ状態通知が伝達されると、中央制御部２１２は、制御端子２２０に状態変更通知を入力し、映像投影装置２０に対して状態変更通知を伝送する（Ｓ２９０）。
【０１０３】
さらに、中央制御部２１２から制御端子２２０に状態変更通知が入力された後、中央制御部２１２は、制御端子２２０を通じて映像投影装置２０に電源オン要求を伝送する（Ｓ２９２）。ここで言う電源オン要求とは、映像投影装置２０に対して電源をオンするように制御するための制御信号である。制御端子２２０を通じて中央制御部２１２から映像投影装置２０に電源オン要求が伝達され、映像投影装置２０の電源オンが検知されると（Ｓ２９４）、制御端子２２０を通じて映像投影装置２０から中央制御部２１２に電源オン通知が伝送される（Ｓ２９６）。ここで言う電源オン通知とは、電源がオンにされたことを通知するための状態通知信号である。
【０１０４】
さて、無線送信装置１００においては、中央制御部１２０から通信制御部１５２にＨＤＭＩ状態通知が送信された後、さらに、中央制御部１２０は、切替部１１４に対してＳＷ切替要求を伝送する（Ｓ２９８）。この場合、ＳＷ切替要求は、映像信号の出力先を有線出力から無線出力に切り替えさせるものである。中央制御部１２０から切替部１１４にＳＷ切替要求が伝達されると、切替部１１４は、映像信号の出力先をＨＤＭＩ出力端子１１６からＨＤＭＩレシーバ１１８に切り替える（Ｓ３００）。
【０１０５】
さて、中央制御部１２０から切替部１１４にＳＷ切替要求が伝達された後、中央制御部１２０は、ＨＤＭＩ入力の初期化を行うと共に、ＳＷ状態を監視する（Ｓ３０２）。ここで言うＳＷ状態とは、映像信号の出力先がＨＤＭＩ出力端子１１６であるか、ＨＤＭＩレシーバ１１８であるかという状態のことである。中央制御部１２０は、ＨＤＭＩ入力の状態を監視しながら安定化するまで待機する（Ｓ３０４）。
【０１０６】
ＨＤＭＩ入力が安定化すると、中央制御部１２０は、通信制御部１５２に対して映像信号送信開始要求を伝達する（Ｓ３０６）。ここで言う映像信号送信開始要求とは、映像信号が無線受信装置２００に無線伝送されるように通信制御部１５２を制御するための制御信号である。そのため、中央制御部１２０から通信制御部１５２に映像信号送信開始要求が伝達されると、通信制御部１５２は、無線受信装置２００に対する映像信号の無線伝送を開始させる。
【０１０７】
以上説明したように、ＨＤＭＩ信号の入力状態に応じて出力先を切り替え、無線通信ユニット１５０の電力供給量を制御することもできる。ＨＤＭＩ信号が未入力状態になり、無線受信装置２００に接続された映像投影装置２０の電源がオフにされても、ＨＤＭＩ信号の入力状態が回復した時点で自動的に電源がオンにされる。また、無線通信ユニット１５０の電力供給量も制御され、電源がオンにされた映像投影装置２０にＨＤＭＩ信号が自動的に無線伝送されるようになる。そのため、ユーザは、無線送信装置１００や映像投影装置２０をいちいち操作しなくても、無線送信装置１００、及び映像投影装置２０の省電力化が実現される。
【０１０８】
［制御コマンド（ＣＥＣ）について］
次に、図１０を参照しながら、映像信号の出力先を切り替える際に用いる制御コマンドの構成について説明する。図１０は、出力先切り替えにＣＥＣコマンドを用いた場合に発生する技術的課題を説明するための説明図である。但し、ここで注目する制御コマンドは、無線受信装置２００から無線送信装置１００の切替部１１４を制御するために用いるものである。仮に、ＣＥＣコマンドを用いて無線受信装置２００から無線送信装置１００の切替部１１４を制御しようとすると、次のような問題が生じる。
【０１０９】
図１０を参照する。図１０には、ある映像出力システムにおける２つの状態（状態（１）、状態（２））が模式的に示されている。図１０に示すように、映像出力システムには、２つの表示装置Ｒ１、Ｒ２と、切替器Ｃ１と、映像再生装置Ｔ１とが含まれている。切替器Ｃ１の入力端子ＩＮには、映像再生装置Ｔ１が接続されている。また、切替器Ｃ１が有する２つの出力端子ＯＵＴ１、ＯＵＴ２には、それぞれ第１表示装置Ｒ１、第２表示装置Ｒ２が接続されている。この映像出力システムにおいて、第１表示装置Ｒ１から切替器Ｃ１の出力先をＣＥＣコマンドで切り替えさせるケースについて考えてみたい。
【０１１０】
状態（１）においては、切替器Ｃ１の出力先は、出力端子ＯＵＴ１に接続されている。この場合、切替器Ｃ１、及び映像再生装置Ｔ１からみた表示装置は、第１表示装置Ｒ１だけであると認識される。この状態において、第１表示装置Ｒ１からＣＥＣコマンド（ＯＵＴ１→ＯＵＴ２）が切替器Ｃ１に入力されることで、切替器Ｃ１は、出力先を出力端子ＯＵＴ１から出力端子ＯＵＴ２に切り替えることができる。ＣＥＣコマンド（ＯＵＴ１→ＯＵＴ２）により切り替え制御された後の状態が状態（２）である。
【０１１１】
状態（２）においては、切替器Ｃ１の出力先は、出力端子ＯＵＴ２に接続されている。この場合、切替器Ｃ１、及び映像再生装置Ｔ１は、第２表示装置Ｒ２を表示装置として認識している。この状態において、第１表示装置Ｒ１から切替器Ｃ１にＣＥＣコマンドが伝送された場合、切替器Ｃ１は、第１表示装置Ｒ１から送信されたＣＥＣコマンドを受け付けない。その理由は、ＣＥＣが表示装置（ＳＩＮＫ）を１つの頂点とするツリー構造でシステム全体を管理する構成になっているためである。つまり、状態（２）において第１表示装置Ｒ１から切替器Ｃ１にＣＥＣコマンドが伝送されると、２つのＳＩＮＫがシステム内に存在することになり、矛盾が生じてしまうのである。
【０１１２】
その結果、状態（２）において第１表示装置Ｒ１から伝送されたＣＥＣコマンドが切替器Ｃ１に受け付けられず、映像信号の出力先を出力端子ＯＵＴ２から出力端子ＯＵＴ１に切り替えることができないのである。このような技術的課題を解決するために、本実施形態においては、第１表示装置Ｒ１から切替器Ｃ１の出力端子を切り替えるための制御信号にＣＥＣコマンドを用いない構成としている。
【０１１３】
上記の映像出力システム１０００においては、第１表示装置Ｒ１が映像出力ユニット５０に相当し、第２表示装置Ｒ２が映像表示装置１４に相当する。また、切替器Ｃ１が無線送信装置１００に相当し、映像再生装置Ｔ１が映像再生装置１２に相当する。そして、上記の映像出力システム１０００においては、映像投影装置２０から制御信号を取得するために、無線受信装置２００に制御端子２２０が設けられている。
【０１１４】
例えば、映像投影装置２０の電源オフ等に連動して映像信号の出力先が切り替えられる場合、映像投影装置２０から制御端子２２０を通じてＣＥＣコマンドとは異なる制御信号が伝送されるように構成されている。このように構成することで、ＣＥＣコマンドに起因する技術的課題を解決することができるのである。もちろん、第１表示装置Ｒ１が映像表示装置１４に相当し、第２表示装置Ｒ２が映像投影装置２０に相当するような状況においても、上記説明の構成例を応用することで、ＣＥＣコマンドに起因する技術的課題を解決することができる。
【０１１５】
以上、本実施形態に係る映像出力システム１０００のシステム構成、無線送信装置１００の機能構成、無線受信装置２００の機能構成、及び映像信号の出力先を切り替え制御する方法等について説明した。上記の通り、本実施形態の技術を適用することで、ＨＤＭＩケーブル等を差し替えることなく、映像信号の無線出力と有線出力とを切り替えることができるようになる。また、本実施形態の技術を適用することにより、ＨＤＭＩ信号を扱うシステムにおいて、２系統の表示出力を用いる場合にＣＥＣコマンドに起因して生じる技術的課題を解決することができるようになる。
【０１１６】
［変形例］
ここで、図１１〜図１３を参照しながら、本実施形態の変形例を紹介する。
【０１１７】
図１１は、無線送信装置１００の切替部１１４を多入力１出力構成にした変形例を示す説明図である（変形例１）。変形例１のように、複数のＨＤＭＩ入力端子１１２１、１１２２、１１２３を設け、複数の信号線から入力された映像信号をＨＤＭＩ出力端子１１６と無線通信ユニット１５０との間で切り替えて出力するように構成することもできる。
【０１１８】
また、図１２は、無線送信装置１００の切替部１１４を多入力多出力構成にした変形例を示す説明図である（変形例２）。変形例２のように、複数のＨＤＭＩ入力端子１１２１、１１２２、１１２３を設け、複数の信号線から入力された映像信号を選択的に複数のＨＤＭＩ出力端子１１６１、１１６２、１１６３と無線通信ユニット１５０との間で切り替える構成にしてもよい。
【０１１９】
図１３は、無線送信装置１００の切替部１１４を多入力多出力構成にした変形例を示す説明図である（変形例３）。但し、１つのＨＤＭＩ入力端子１１２１から入力された映像信号をＨＤＭＩ出力端子１１６３と無線通信ユニット１５０とに同時出力する構成である。このように、無線通信ユニット１５０への出力も含め、複数の出力先が存在する場合に、複数の出力先に同時に映像信号を出力するように構成してもよい。
【０１２０】
［まとめ］
最後に、本実施形態の映像送信装置が有する機能構成と、当該機能構成により得られる作用効果について簡単に纏める。上記の無線送信装置１００は、当該映像送信装置の一例である。
【０１２１】
まず、本実施形態に係る映像送信装置の機能構成は次のように表現することができる。当該映像送信装置は、入力端子と、出力端子と、無線送信部と、出力切替部と、切替制御部とを有する。上記のＨＤＭＩ入力端子１１２は、当該入力端子の一例である。上記のＨＤＭＩ出力端子１１６は、当該出力端子の一例である。上記の無線通信ユニット１５０は、当該無線送信部の一例である。上記の切替部１１４は、当該出力切替部の一例である。上記の中央制御部１２０は、当該切替制御部の一例である。
【０１２２】
上記の入力端子には、映像信号が入力される。また、上記の出力端子は、映像機器に有線接続される。上記の映像表示装置１４は、当該映像機器の一例である。さらに、上記の無線送信部は、前記映像信号を所定の無線変調方式で変調して無線送信するものである。そして、上記の出力切替部は、前記入力端子、前記出力端子、及び前記無線送信部に接続され、前記入力端子から入力された映像信号の出力先を前記出力端子又は前記無線送信部に切り替えるものである。
【０１２３】
この出力切替部を有することにより、映像信号の出力先を有線出力と無線出力との間で切り替えることができるようになる。また、上記の切替制御部は、前記無線通信部により前記出力先の切り替え要求が受信された場合に、当該切り替え要求に応じて前記出力切替部に前記映像信号の出力先を切り替えさせるものである。この切替制御部を有することにより、映像信号の送信先における状態変化（電源オン／オフ等）に応じて映像信号の出力先を自動的に切り替えることができるようになる。
【０１２４】
また、前記映像信号は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）信号であり、前記切り替え要求は、ＣＥＣ（Ｃｏｎｓｕｍｅｒ  Ｅｌｅｃｔｒｏｎｉｃｓ  Ｃｏｎｔｒｏｌ）コマンドとは異なる制御信号である。この場合、前記切替制御部は、前記制御信号に応じて前記出力切替部に前記映像信号の出力先を切り替えさせる。このような構成を有することにより、１つのＳＩＮＫをツリーの頂点として構築されたＣＥＣの制御体系に起因する制約にとらわれず、２つのＳＩＮＫを有するシステムにおいて、ＳＩＮＫ側から映像信号の出力先を切り替えることができるようになる。
【０１２５】
また、前記切替制御部は、前記無線送信部により無線送信される映像信号の出力先で電源がオフにされたか、或いは、前記入力端子に入力される映像信号が未入力状態に変化した場合に、前記出力切替部を制御して前記映像信号の出力先を前記出力端子に切り替える。このように構成することで、映像信号の無線送信先が電源オフにされたり、映像信号の入力が停止した場合に、無線通信部の電力供給を低減又は停止することが可能になる。その結果、映像送信装置の消費電力を低減させることができる。
【０１２６】
また、前記出力切替部は、前記ＨＤＭＩ信号に施されたＨＤＣＰを解除することなく、前記出力端子又は前記無線送信部に前記映像信号を出力する。ＨＤＣＰを解除せずに映像信号を出力するため、ＨＤＣＰの解除に要する演算負荷が発生せず、映像信号の切替出力が高速化される。さらに、ＨＤＣＰの解除処理に用いる回路が不要になり、回路規模を低減させることができる。その結果、ＨＤＣＰを解除するものに比べ、製造コストを低減させることができる。
【０１２７】
また、本実施形態に係る映像送信装置は、次のように表現することもできる。当該映像送信装置は、映像信号が入力される入力端子と、映像機器に有線接続される出力端子と、
前記映像信号を所定の無線変調方式で変調して無線送信する無線送信部と、前記入力端子、前記出力端子、及び前記無線送信部に接続され、前記入力端子から入力された映像信号の出力先を前記出力端子又は前記無線送信部に切り替える出力切替部と、前記出力切替部に前記映像信号の出力先を切り替えさせると共に、当該出力先の切り替えを通知するための切替通知を前記無線送信部に送信させる切替制御部とを有する。
【０１２８】
上記の映像送信装置との相違点は、切替制御部の構成にある。この表現においては、切替制御部により映像信号の出力先が変更された場合に、その出力先の変更が無線送信される。このような構成にすることで、無線送信先の機器において、出力先の切り替え処理に連動した動作の制御が行えるようになる。例えば、出力先が有線接続に変更された場合に、無線送信先の電源をオフに制御することができるようになる。その結果、ユーザは、映像信号の出力先を切り替えるだけで、無線送信先の側まで移動しなくても、無線送信先の機器を自動で電源オフにすることができるようになる。
【０１２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３０】
上記の説明において、受信側の電源オン／オフに連動して映像信号の出力先が変更される構成について説明した。また、映像信号の出力先が切り替えられた際に、その切り替えに連動して受信側の電源オン／オフが切り替わる構成について説明した。さらに、送信側において映像信号の入力状態が変化した場合に、その入力状態の変化に連動して受信側の電源オン／オフが切り替わる構成について説明した。これらの構成に加え、次のような構成も応用例として考えられる。
【０１３１】
例えば、映像信号が無線出力されている状態で、無線出力先の機器が入力端子を無線入力から他の入力に切り替えた場合に、映像信号の出力先が有線出力に切り替わるように構成されていてもよい。また、映像信号が有線接続されている状態で、無線出力先の機器が入力端子を無線入力に切り替えた場合に、映像信号の出力先が無線出力に切り替わるように構成されていてもよい。さらに、映像信号が無線出力されている状態で、無線チャネルの状態が劣化し、映像信号の乱れが多く発生した場合に、映像信号の出力先が有線出力に切り替わるように構成されていてもよい。逆に、無線チャネルの状態が回復した場合に、映像信号の出力先が無線出力に自動で切り替わるように構成されていてもよい。
【図面の簡単な説明】
【０１３２】
【図１】映像出力システムの一構成例を示す説明図である。
【図２】本発明の一実施形態に係る映像出力システムの構成例を示す説明図である。
【図３】同実施形態に係る無線送信装置の機能構成例を示す説明図である。
【図４】同実施形態に係る無線受信装置の機能構成例を示す説明図である。
【図５】同実施形態に係る出力先の自動切替シーケンスの一例を示す説明図である。
【図６】同実施形態に係る出力先の自動切替シーケンスの一例を示す説明図である。
【図７】同実施形態に係る出力先の自動切替シーケンスの一例を示す説明図である。
【図８】同実施形態に係る出力先の自動切替シーケンスの一例を示す説明図である。
【図９】同実施形態に係る出力先の自動切替シーケンスの一例を示す説明図である。
【図１０】同実施形態に係る切替制御方法を説明するための説明図である。
【図１１】同実施形態の一変形例に係る切替部の構成を示す説明図である。
【図１２】同実施形態の一変形例に係る切替部の構成を示す説明図である。
【図１３】同実施形態の一変形例に係る切替部の構成を示す説明図である。
【符号の説明】
【０１３３】
１０    映像出力システム
１２    映像再生装置
１４    映像表示装置
１６    無線送信装置
１８    無線受信装置
２０    映像投影装置
３０    映像再生ユニット
５０    映像出力ユニット
１００    無線送信装置
１１０    制御ユニット
１１２    ＨＤＭＩ入力端子
１１４    切替部
１１６    ＨＤＭＩ出力端子
１１８    ＨＤＭＩレシーバ
１２０    中央制御部
１２２    メモリ
１２４    通信部
１２６    操作部
１２８    表示部
１３０    電源
１３２    電源端子
１５０    無線通信ユニット
１５２    通信制御部
１５４    ベースバンド部
１５６    無線通信部
１５８    アンテナ
２００    無線受信装置
２１０    制御ユニット
２１２    中央制御部
２１４    メモリ
２２２    通信部
２２４    操作部
２２６    表示部
２１６    電源
２１８    電源端子
２２０    制御端子
２５０    無線通信ユニット
２６０    通信制御部
２５６    ベースバンド部
２５４    無線通信部
２５２    アンテナ
２５８    ＨＤＭＩ出力端子
１０００    映像出力システム
【図１】
2010041613.tif 000003
【図２】
2010041613.tif 000004
【図３】
2010041613.tif 000005
【図４】
2010041613.tif 000006
【図５】
2010041613.tif 000007
【図６】
2010041613.tif 000008
【図７】
2010041613.tif 000009
【図８】
2010041613.tif 000010
【図９】
2010041613.tif 000011
【図１０】
2010041613.tif 000012
【図１１】
2010041613.tif 000013
【図１２】
2010041613.tif 000014
【図１３】
2010041613.tif 000015